(57)【特許請求の範囲】
【請求項１】
取手を形成する歯ブラシ柄（１）の歯毛部に歯毛（２）を植毛した歯ブラシに於いて，
前記歯毛部を構成するとともにそれぞれに前記歯毛（２）が植毛された複数の小片から成る歯毛ピース（３）（３’）と，前記歯毛ピース（３）（３’）を組み込んでこれらを結合し撓み時には前記歯毛ピース（３）（３’）を開放状態に展開し水平時には前記歯毛ピース（３）（３’）を密接させる撓み板（４）と，弾性で撓んだ前記撓み板（４）を水平に展開可能なスライダ（５）から成ることを特徴とする，歯ブラシ。
【請求項２】
前記スライダ（５）によって展開する前記撓み板（４）に係合孔（２１）（２１’）を一定の間隔で開け，前記歯毛ピース（３）（３’）の本体（９）には係合孔（２１）（２１’）に緊密に差し込み固定できる係合突起（２２）を一体に形成し，前記歯毛ピース（３）（３’）の前記係合突起（２２）を前記係合孔（２１）（２１’）に緊密に差し込んで組み立てて成ることを特徴とする，請求項１に記載の歯ブラシ。
【請求項３】
前記撓み板（４）に，取付孔（２３）が開けられており，前記取付孔（２３）の入口は前記歯毛ピース（３）（３’）の本体（９）が入れる大きさを有し，前記取付孔（２３）の前記入口より内部は，前記歯毛ピース（３）（３’）が組み込まれるように前記入口より小さい幅に構成され，前記歯毛ピース（３）（３’）の本体（９）の両側を案内溝（１１）を形成した断面凸形状に形成して，前記歯毛ピース（３）（３’）の前記案内溝（１１）を前記撓み板（４）の取付孔（２３）に差し込んで係合させ，前記取付孔（２３）の入口をキャップ（２４）で塞いで成ることを特徴とする，請求項１に記載の歯ブラシ。
【請求項４】
前記スライダ（５）は，前記歯毛ピース（３）（３’）の本体（９）のほぼ全域を覆うように摺動可能であることを特徴とする，請求項１，２または３のいずれかに記載の歯ブラシ。
【発明の詳細な説明】
【０００１】
【発明の属する技術分野】
本発明は，歯ブラシに係り，より詳細には，複数の薄い幅に分離して構成した歯毛ピースを，歯を磨く時は密集させて使用し，使用の後に保管する時は歯毛ピース間の間隔が大きくなるよう展開し，歯毛の洗浄と乾燥を非常に容易にすることにより衛生的に使用できるようにした歯ブラシに関する。
【０００２】
【従来の技術】
一般に，歯ブラシは，取手の先端に形成した歯毛部に無数の歯毛が密集した状態で植毛してあるので，歯を磨いた後，手で振って歯毛部の水を払っても完全に払い切れず，また頻繁に使用されることと，通常は室内の浴室などに保管するために，空気の疎通が円滑でなく，常に水気を含んだ状態にあるので，細菌の繁殖が多く，非常に非衛生的であるとの実験結果が明らかになっている。
【０００３】
なお，密集した歯毛により歯を磨く時には，歯毛の間に溜まった食べ物の滓を取り除くような洗浄を容易に行うことが困難であり，ますます細菌の繁殖が増長され，食べ物の滓を取り除くための洗浄を行う際に，歯毛を破断したり折り曲げたりして，歯ブラシの寿命を短縮する等，種々の弊害があった。
【０００４】
【発明が解決しようとする課題】
本発明は，従来の歯ブラシが有する上記問題点に鑑みてなされたものであり，本発明の目的は，歯ブラシの歯毛部を薄い幅を持つ複数のピースに分離し，これらを弾性により撓んだ撓み板に差し込み，相互に接触しないように展開し，歯を磨く時には，撓み板をスライダにより直線状に伸ばし，展開した歯毛ピースを密集させ，使用後は歯毛ピースを再び展開した状態で保管することにより，歯毛の乾燥の進行を早め，洗浄を容易にすることにより，非常に衛生的に管理を行うことが可能な歯ブラシを提供することにある。
【０００５】
【課題を解決するための手段】
上記課題を解決するために，本発明によると，取手を形成する歯ブラシ柄（１）の先端の歯毛部に歯毛（２）を無数に植毛した歯ブラシに於いて，歯毛（２）の植毛された歯毛部を小さい幅に切開し，複数で構成した歯毛ピース（３）（３’）と，歯毛ピース（３）（３’）を差し込みこれを結合して展開させる，弾性を持つ撓み板（４）を水平に展開し歯毛ピース（３）（３’）を密集させるスライダ（５）で構成されるのを特徴とする歯ブラシが提供される。
【０００６】
【発明の実施の形態】
以下，本発明の望ましい実施の形態について，添付の図面を参照しながら詳細に説明することにする。
【０００７】
図１は，本発明による歯ブラシを展開した状態を図示した実施の一形態を示したものである。取手を形成する歯ブラシ柄（１）の先端には，ストッパ（６）と突棒（７）の取り付けられた歯毛ピース用固定部（８）が一体に形成されている。歯毛ピース（３）（３’）は，通常の歯毛部を幅方向の歯毛（２）を一列または複数列ずつ切開し分離した小さい幅の小片形態に構成される。歯毛ピース（３）（３’）上部の本体（９）には，撓み板（４）が挿入される横孔（１０）とスライダ（５）が作動する案内溝（１１）がほぼ同位置に形成してある。歯毛ピース（３）（３’）は，連接時に，通常の歯ブラシの歯毛部の大きさに対応する数量を，その本体（９）に貫通した横孔（１０）の中に撓み板（４）が挿入されるようにして差し入れ歯毛ピースアセンブリ（１２）を構成する。撓み板（４）には歯ブラシ柄（１）の固定部（８）の突棒（７）を差し込み可能な掛止孔（１３）とクランプ（１４）が，一体に固定してある。そして，歯ブラシ柄（１）の上面の搬入部（１’）には歯毛ピース（３）（３’）の案内溝（１１）に差し込まれ，これに沿って摺動して撓んだ歯毛ピースアセンブリ（１２）を水平に展開させるスライダ（５）が，歯ブラシ柄（１）の搬入部（１’）に該当する大きさの固定キャップ（１５）により支持，設置される。さらに，固定キャップ（１５）にはスライダ（５）の案内桿（１６）が差し込まれる案内孔（１７）とスライダを移動自在にするハンドル（１８）の軸（１８’）が差し込まれる長孔（１９）が設置してある。
【０００８】
上記の実施形態に於いて，幅方向の歯毛一列ずつを切開し，分離した小さい幅の形態で構成した歯毛ピース（３）（３’）は，通常の歯毛部に該当する数量を，板スプリングのような弾性を持つ撓み板（４）に差し込み，歯毛ピースアセンブリ（１２）を形成したのである。したがって，各々の歯毛ピース（３）（３’）は，弾性により撓んだ撓み板（４）により，図４の如く開いた状態になり，撓み板（４）の端部に形成した掛止孔（１３）が突棒に嵌まるように，クランプ（１４）を歯ブラシ柄（１）の先端に形成した固定部（８）にクランピングさせ組み立てると，歯毛ピースアセンブリはストッパ（６）と突棒（７）及びクランプ（１４）により，歯ブラシ柄（１）の先端に堅固に固定される。
【０００９】
また，歯毛ピースアセンブリ（１２）を水平に展開させるスライダ（５）は，案内桿（１６）が固定キャップ（１５）の案内孔（１７）に沿って移動自在に設置されており，ハンドル（１８）の軸（１８’）が長孔（１９）に差し込まれて設置されている。したがって，固定キャップ（１５）の長孔（１９）に突出したハンドル（１８）を取ってスライダ（５）を歯ブラシ柄（１）の先端へ移動させると，スライダ（５）が歯毛ピースアセンブリ（１２）の各歯毛ピース（３）（３’）に形成された案内溝（１１）に沿って移動しながら，撓んだ歯毛アセンブリ（１２）を水平に展開するようになるので，開いていた歯毛ピース（３）（３’）が密接に結合し，１セットの歯毛部を形成するようになる。なお，歯毛ピース（３）（３’）の全体がスライダ（５）に依ってしっかりと結合されているので，歯ブラシとしての使用の際に動くことがなく，通常の歯ブラシと同様に使用することができる。歯ブラシの使用が終わると，ハンドル（１８）を歯ブラシ柄（１）の後端へ移動させ，スライダ（５）を歯毛ピースアセンブリ（１２）から外すと，歯毛ピース（３）（３’）は撓み板（４）の復帰弾性により元の通り撓み，各歯毛ピース（３）（３’）を開くように作用するので，歯毛の間の間隔が大きくなり，乾燥を早め，洗浄も容易にする事ができるのである。
【００１０】
ここで，案内桿（１６）が固定キャップ（１５）の案内孔（１７）において移動自在であり，ハンドル（１８）の軸（１８’）が長孔（１９）に嵌め込まれているので，スライダ（５）の横方向への動きは制限され，正確に長手方向に移動して，歯毛ピースアセンブリ（１２）を水平に展開することになる。各歯毛ピース（３）（３’）の歯毛（２）が使用により摩耗した場合には，歯毛ピースアセンブリ（１２）全体を新しいものに交替して使用すれば，継続的に使用することが可能であり，この時歯毛ピース（３）（３’）の色相を各々異なる色相で形成するとより美麗な歯ブラシを提供する事ができる。
【００１１】
図７は，歯毛ピースアセンブリ（１２）を水平に展開させるスライダ（５）の別の構造を示したものである。歯ブラシ柄（１）の先端部の上面に一定長さの搬入部（１’）を形成し，これの長さ方向の両端に案内レール（２０）を形成し，スライダ（５）は前記案内レール（２０）に沿って摺動するように設置されて，歯毛ピースアセンブリ（１２）を展開させる構造である。この構造は歯ブラシ柄の先端部が前記の実施形態よりやや太くなる点はあるが，機能の面ではより優れている。
【００１２】
図８は，歯毛ピースアセンブリ（１２）を水平に展開させるスライダ（５）のさらに別の構造を示したものである。ここでは，スライダ（５）は，歯毛ピース（３）（３’）の歯毛（２）が植毛された本体（９）の底部まで完全にカバーできる形で形成されている。
【００１３】
この構造は歯毛ピースアセンブリ（１２）の本体（９）を完全に覆いかぶせながら，水平に展開するようになるので歯毛ピース（３）（３’）の揺れを防止する効果がより大きい利点がある。
【００１４】
図９および図１０は，本発明の歯毛ピース（３）（３’）と撓み板（４）のされに別の結合構造を示したものである。図９は，スライダ（５）によって展開される撓み板（４）に結合孔（２１）（２１’）を一定間隔で開け，歯毛ピース（３）（３’）の本体（９）には係合孔（２１）（２１’）に緊密に嵌め込んで固定できる係合突起（２２）を一体に形成し，歯毛ピース（３）（３’）の係合突起（２２）を係合孔（２１）（２１’）に緊密に嵌め込んで組み立てる構造が図示されている。この実施例に於いては，歯毛ピース（３）（３’）の摩耗による交換の際，各々の歯毛ピース（３）（３’）を全体または部分的に係合孔（２１）（２１’）から引き抜いて取り替えると，連続使用が可能である。
【００１５】
図１０は，撓み板（４）に，入口は歯毛ピース（３）（３’）が入れる大きさで，そして内部はより小さい幅で連結される凸状の取付孔（２３）を開け，当該取付孔（２３）の入口を通じて，歯毛ピース（３）（３’）の本体（９）を嵌め込み，案内溝（１１）にかかるように１つずつ挿入し，取付孔（２３）の入口をキャップ（２４）で塞ぎ，取付孔（２３）に差し込んだ歯毛ピース（３）（３’）が抜けないようにする構造でも歯毛ピースアセンブリ（１２）を構成できる。
【００１６】
以上，添付図面を参照しながら本発明にかかる歯ブラシの好適な実施形態について詳細に説明したが，本発明はかかる例に限定されない。当業者であれば，特許請求の範囲に記載された技術的思想の範疇内において，各種の変更例または修正例に想到しうることは明らかであり，それらについても当然に本発明に技術的範囲に属するものと了解される。
【００１７】
【発明の効果】
このように成る本発明は，歯毛（２）の植毛された歯毛部を多数個の歯毛ピース（３）（３’）に分離し，撓み板（４）とスライダ（５）により密接，あるいは展開するようにしたものであるので，歯ブラシを使用していない時，歯毛ピース（３）の間隔が広まるように離隔した状態で保管できることにより，乾燥を早め，洗浄も容易にできるので，歯ブラシを衛生的に管理する事ができ，歯毛ピースを洗浄または部分的に取り替える事ができるので，とても経済的効果がある等非常に優れた発明である。
【図面の簡単な説明】
【図１】本発明の実施の一形態にかかる歯ブラシの分解斜視図である。
【図２】本発明の実施の一形態にかかる歯ブラシの歯毛ピースの分解説明図である。
【図３】本発明の実施の一形態にかかる歯ブラシの歯毛ピースの展開状態断面図である。
【図４】本発明の実施の一形態にかかる歯ブラシの歯毛ピースの撓み状態断面図である。
【図５】本発明の実施の一形態にかかる歯ブラシの歯毛ピースアセンブリの縦断面図である。
【図６】図３に示す歯毛ピースの”Ａ−Ａ”線断面図である。
【図７】本発明の別の実施形態にかかる歯ブラシの分解斜視図である。
【図８】本発明にかかる歯ブラシに採用可能なスライダの別の実施形態の構造を図示した縦断面図である。
【図９】本発明のさらに別の実施形態にかかる歯ブラシの分解斜視図である。
【図１０】本発明のさらに別の実施形態にかかる歯ブラシの分解斜視図である。
【符号の説明】
１    歯ブラシ柄
２    歯毛
３，３’    歯毛ピース
４    撓み板
５    スライダ
【図１】
0003784582.tif 000002
【図２】
0003784582.tif 000003
【図３】
0003784582.tif 000004
【図４】
0003784582.tif 000005
【図５】
0003784582.tif 000006
【図６】
0003784582.tif 000007
【図７】
0003784582.tif 000008
【図８】
0003784582.tif 000009
【図９】
0003784582.tif 000010
【図１０】
0003784582.tif 000011